(57)【要約】本発明は、行電極（７）を備える第１の基板と列電極（６）を備える第２の基板との間の液晶材料と、ここで行電極と列電極の重なり部分がピクセル（８）を画定しており、表示されるべき画像に従って列電極（６）を駆動する駆動手段（５）と、行電極（７）を駆動する駆動手段（４）とを備えるディスプレイ装置に関し、ここで行電極（７）は行選択時間中に少なくとも１つの行を選択し、そして列電圧（Ｇｊ（ｔ））は列電極（６）に供給され、そこで、列電圧波形は、特定の列の駆動されるピクセルによって表示されるべきグレイスケールに依存し、かつ選択された行の使用選択信号（Ｆｉ）に依存し、列電圧（Ｇｊ（ｔ））は、行選択時間中に少なくとも２つの異なる列電圧レベルの間で切り換え可能である。低電力消費であるディスプレイ装置を提供するために、特に列駆動信号の遷移の数を最小限にするために、現在行選択時間の終りの列電圧が後続の行選択時間の終りの列電圧と同じである場合、後続の行選択時間の列電圧波形は、ミラー軸に関して鏡像化される。
2006527409.tif 000002
【特許請求の範囲】
【請求項１】
行電極が設けられた第１の基板と列電極が設けられた第２の基板との間の液晶材料と、表示されるべき画像に従って前記列電極を駆動する駆動手段と、前記行電極を駆動する駆動手段と、を備えるディスプレイ装置であって、
行選択時間中に少なくとも１つの行が選択され、かつ列電圧（Ｇｊ（ｔ））が前記列電極に供給され、前記列電圧波形が、特定の列の駆動されるピクセルによって表示されるべきグレイスケールに依存し、かつ前記選択された行に供給される使用選択信号（Ｆｉ）に依存し、列電圧（Ｇｊ（ｔ））が、前記行選択時間中に少なくとも２つの異なる列電圧レベルの間で切り換え可能であり、かつ後続の行選択時間の前記列電圧波形が、現在行選択時間の終りの前記列電圧および後続の行選択時間の終りの前記列電圧に依存してミラー軸に関して鏡像化される、ディスプレイ装置。
【請求項２】
現在行選択時間の終りの前記列電圧が後続の行選択時間の終りの前記列電圧と同じである場合に、前記鏡像化が行われる、請求項１に記載のディスプレイ装置。
【請求項３】
ｐ個の行のグループが同時に駆動され、さらに前記行電極が、ピクセルを駆動する相互直交選択信号（Ｆｉ）をｐ個の行（ｐ＞＝１）のグループに供給し、ここでピクセルは前記行電極と前記列電極の重なり部分によって画定され、前記列電圧（Ｇｊ（ｔ））が、特定の列の前記ｐ個の同時に駆動されるピクセルによって表示されるべきグレイスケールに依存して、かつ、前記ｐ個の行のそれぞれのグループに使用される前記相互直交選択信号（Ｆｉ）に依存して、計算される、請求項１または２に記載のディスプレイ装置。
【請求項４】
前記鏡像化が、表示されるべき画像に依存して適応的に行われる、請求項１に記載のディスプレイ装置。
【請求項５】
前記ミラー軸が行選択時間の真ん中に決められる、請求項１に記載のディスプレイ装置。
【請求項６】
前記ミラー軸が、適応的に決められる、請求項１に記載のディスプレイ装置。
【請求項７】
前記行選択時間が、ｎｐｗｍ個の部分スロットに細分され、かつ、前記列電圧信号が行選択時間中にｐ＋１の異なる電圧レベルを有することができる、請求項２に記載のディスプレイ装置。
【請求項８】
引き続く行選択時間の前記後続の列電圧レベルが、前記現在行選択時間中に計算される、請求項１に記載のディスプレイ装置。
【請求項９】
行電極および列電極を有するディスプレイ装置を駆動する回路配列であって、
前記ディスプレイ装置に表示されるべき画像に従って前記列電極を駆動する駆動手段と前記行電極を駆動する駆動手段とを備え、
行選択時間中に少なくとも１つの行電極が選択され、さらに列電圧（Ｇｊ（ｔ））が前記列電極に供給され、
前記列電圧波形が、特定の列の駆動されるピクセルによって表示されるべきグレイスケールに依存し、かつ、前記選択された行に供給される使用選択信号（Ｆｉ）に依存し、列電圧（Ｇｊ（ｔ））が、前記行選択時間中に少なくとも２つの異なる列電圧レベルの間で切り換え可能であり、かつ、後続の行選択時間の前記列電圧波形が、現在行選択時間の終りの前記列電圧および後続の行選択時間の終りの前記列電圧に依存してミラー軸に関して鏡像化される、
回路配列。
【請求項１０】
行電極および列電極を有するディスプレイ装置を駆動する方法であって、
行選択時間中に少なくとも１つの行が選択され、さらに列電圧（Ｇｊ（ｔ））が前記列電極に供給され、
前記列電圧波形が、特定の列の駆動されるピクセルによって表示されるべきグレイスケールに依存し、かつ、前記選択された行に供給される使用選択信号（Ｆｉ）に依存し、前記列電圧（Ｇｊ（ｔ））が、前記行選択時間中に少なくとも２つの異なる列電圧レベルを有し、かつ、後続の行選択時間の前記列電圧波形が、現在行選択時間の終りの前記列電圧および後続の行選択時間の終りの前記列電圧に依存してミラー軸に関して鏡像化される、方法。
【発明の詳細な説明】
【技術分野】
【０００１】
本発明は、一般的に、受動マトリックス・ディスプレイ、特にディスプレイ装置およびディスプレイ装置を駆動する方法に関し、このディスプレイ装置は、行電極を備える第１の基板と列電極を備える第２の基板との間の液晶材料と、ここで行電極と列電極の重なり部分がピクセルを画定し、表示されるべき画像に従って列電極を駆動する駆動手段と、行電極を駆動する駆動手段とを備える。
【背景技術】
【０００２】
ディスプレイ技術は、この先何年も情報通信技術においてますます重要な役割を果たすであろう。ディスプレイ装置は、人とディジタル世界の間のインタフェースであるので、現代情報システムの受け入れにとって極めて重要である。特に、例えばノート型パソコン、電話、ディジタル・カメラおよび個人向け携帯型情報機器のような携帯型装置は、ディスプレイを使用しないでは実現することができない。受動マトリックスＬＣＤ技術は、非常に一般的に使用されているディスプレイ技術であり、それは、例えば、ＰＤＡおよび移動電話で使用されている。受動マトリックス・ディスプレイは、普通、（Ｓ）ＴＮ（超ねじれネマチック）効果に基づいている。受動マトリックスＬＣＤは、いくつかの基板から成る。ディスプレイは、行と列のマトリックスの形に細分される。行電極および列電極は、それぞれの基板に配列され、格子を形成している。液晶のある層は、前記の基板の間に設けられている。これらの電極の交差点がピクセルを形成する。これらの電極は、駆動されるピクセルの液晶分子を適切な方向に向ける電圧を供給され、その結果、駆動されたピクセルは異なる明るさで見えるようになる。
【０００３】
ディスプレイの大きさはいっそう大きくなるので、移動用途用の受動マトリックスＬＣＤの電力消費の重要性は、常に増している。そのような受動マトリックス・ディスプレイは携帯型装置で使用されることが多いので、低電力消費を実現することが特に重要である。
【０００４】
一般に、受動マトリックス・ディスプレイ装置の行電極は、行選択時間に行選択電圧によって選択され、すなわち活動化されるが、一方で、表示されるべき画像データは列電極を介して供給される。ディスプレイ装置を駆動する異なった方式がある。最も一般的な駆動方式は、いわゆるＡｌｔ＆Ｐｌｅｓｈｋｏ駆動方式である。ここでは、各行は個別に選択される。それぞれの行が選択されたときに、必要な列電圧が列電極に供給される。それで、選択された行の各ピクセルは、それぞれのグレイスケールを示す。ディスプレイの全ての行が一度選択されるまで、ある行が選択された後で、次の行が選択される。これによって、ディスプレイの全ての行をちょうど一度選択するのにかかった時間として、Ａｌｔ＆Ｐｌｅｓｋｏ駆動の場合、いわゆるフレームが確定される。
【０００５】
他のより新しい駆動方式は、いわゆる複数行アドレス指定方式（ＭＲＡ）である。ここでは、ｐ個の行のグループが同時に駆動され、そして符号化画像情報がそれらの列に加えられる。このＭＲＡ技術によって、低電力消費と組み合わせて非常に優れた光学性能が実現される。前記のＭＲＡ技術に従って、いくつかのｐ個の行が同時に駆動される。そして、一組の直交関数がその同時に駆動されたｐ個の行に加えられる。対応する列を駆動する列電圧の関数は、計算規則を使用して前記の一組の直交関数から計算される。列を駆動するためにこの計算規則を使用することによって、複数の部分列電圧値から電圧が選ばれ、前記の選択された電圧が対応する列に加えられ、その結果、対応するピクセルは、メモリから供給された画像データに依存する状態に切り換えられるようになる。
【０００６】
グレイスケールを表示するために、パルス幅変調（ＰＷＭ）と呼ばれる方法を使用することができる。Ａｌｔ＆Ｐｌｅｓｈｋｏ駆動かまたはＭＲＡ駆動かのどちらかと組み合わされたパルス幅変調方法は、１つの行選択時間をいくつかの行部分選択時間スロットに分割することに基づいている。ある特定の行選択時間の範囲内の引き続く行部分選択時間スロットの間で列電圧レベルを変化することによって、対応するピクセルをグレイスケールで駆動することができる。１つの行選択時間をｎｐｗｍ個の部分選択時間スロットに分割するとき、ｎｐｗｍ＋１の異なるグレイスケールを生成することができる。
【０００７】
このグレイスケール法の特徴は、行部分選択時間スロットごとに、駆動されるべき列電圧が計算されなければならないことである。このことは、先ず第１に、ＭＲＡと組み合わせて、集中的なデータ処理を駆動することを必要とする。さらに、列電圧は、各新しい行部分選択時間スロットに関してせいぜい一度そのレベルを変えることができ、これにより、多くの遷移を列電圧波形に生じさせる。集中的なデータ処理並びに多くの遷移は、両方とも、ドライバの全体的な電力消費にマイナスの影響を及ぼす。
【発明の開示】
【発明が解決しようとする課題】
【０００８】
したがって、本発明の目的は、ディスプレイ装置、そのようなディスプレイ装置を駆動する回路配列および低電力消費を有するディスプレイ装置を駆動する方法を提供することである。特に、列駆動信号の遷移の数を最小限にすることが目的である。
【課題を解決するための手段】
【０００９】
この目的は、独立請求項の主題によって解決される。
【００１０】
この目的のために、行電極を備える第１の基板と列電極を備える第２の基板との間の液晶材料と、表示されるべき画像に従って列電極を駆動する駆動手段と、行電極を駆動する駆動手段とを備え、行選択時間中に少なくとも１つの行が選択され、さらに列電圧（Ｇｊ（ｔ））が列電極に供給され、列電圧波形は、特定の列の駆動されるピクセルによって表示されるべきグレイスケールに依存し、かつ選択された行に供給される使用選択信号（Ｆｉ）に依存し、列電圧（Ｇｊ（ｔ））は、行選択時間中に少なくとも２つの異なる列電圧レベルの間で切り換え可能であり、かつ後続の行選択時間の列電圧波形は、現在行選択時間の終りの列電圧および後続の行選択時間の終りの列電圧に依存して鏡軸上に鏡像化される、本発明に従ったディスプレイ装置が提供される。
【００１１】
本発明の好ましい実施形態では、現在行選択時間の終りの列電圧が後続の行選択時間の終りの列電圧と同じである場合、鏡像化が行われる。
【００１２】
発明のディスプレイ装置の好ましい実施形態では、全ての第２の行選択時間の列電圧波形を鏡像化することによって、鏡像化が行われる。行選択時間の間に異なる間隔を使用することも可能である。この種の固定鏡像化は、実現するのが非常に簡単である。
【００１３】
発明のディスプレイ装置の代替的な好ましい実施形態では、鏡像化は適応的に行われる。その実施形態では、どの行選択時間が鏡像化されるかを言うことができない。それは、遷移を省くことができる場合だけ鏡像化が行われるからである。このことは、遷移を省くことができるどうかの計算を必要とする。その後の行選択時間の後続の列電圧レベルを計算することによって、または特に、現在行選択時間中に、その後の行選択時間の最後の行部分スロットの列電圧レベルをすでに計算することによって、それにより、有利であるときはいつでも後続の行選択時間の列波形を鏡像化して、いわゆる適応鏡像化によって、遷移の数を減少する可能性が存在する。列電圧波形のこの遷移の数の減少は、ドライバの電力消費に肯定的な影響を及ぼす。
【００１４】
この適応列鏡像化は、Ａｌｔ＆ＰｌｅｓｈｋｏおよびＭＲＡを含んだ様々な駆動方式がパルス幅変調と組み合わされる限りにおいて、これらの方式に応用することができる。適応列電圧鏡像化の最も重要な有利点は、それにより最高５０％の列遷移を省くことができ、どんな状況でも遷移の数は決して増加しないことである。遷移の数は電力消費に直接影響を及ぼし、遷移が少ないほど電力消費は少なく、この発表されたディスプレイ装置はドライバの電力消費を相当に減少させることができる。
【００１５】
さらに代替的な実施形態では、Ｖｃｏｌ（ｔ＝ｎＴｒ−ｄｔ）＝Ｖｃｏｌ（ｔ＝（ｎ＋１）Ｔｒ−ｄｔ）がｎ個の引き続く行選択時間のｎ＝１、２、３について真であれば、鏡像化は活動化される。ここで、Ｔｒは行選択時間を表し、ｄｔは１増分時間ステップを表す。
【００１６】
さらに代替的な実施形態では、窓の範囲内で鏡像化が行われるが、一方で、鏡像化される窓の大きさは、少なくとも３つの行部分選択時間スロットでなければならない。これを行うことによって、非常に有効な方法で鏡像化を行うことができ、結果として、相当に少ない数の遷移を有する列電圧信号が生じる。例えば窓が３つの部分選択行スロットを含む、その窓の範囲内の鏡像化は、第３の行部分スロットの電圧レベルが第１の行部分スロットのものと同じであるときいつでも行われるだけであり、もしそうであれば、第２と第３の行部分スロットは交換され、したがって、第２と第３の行部分スロットの間のミラー軸に関して鏡像化される。
【００１７】
さらに好ましい実施形態では、ミラー軸の位置は、窓の中に含まれた行部分選択時間スロットの数に依存する。現在行部分選択時間スロット中に、次以降の行部分選択時間スロットの列電圧レベルを計算するというさらなる有利点がある。
【００１８】
特定の好ましい実施形態では、ｍ＝１、２、３、・・・、Ｍでｍ＝Ｍ−１でない場合にＶｃｏｌ（ｔ＝ｍＴｒｓ−ｄｔ）＝Ｖｃｏｌ（ｔ＝（ｍ＋２）Ｔｒｓ−ｄｔ）であれば、鏡像化が活動化される。ここで、Ｍ＝Ｔｒ／Ｔｒｓは、１行選択時間スロット当たりの行部分選択時間スロットの数であり、Ｔｒｓは行部分選択時間であり、ｄｔは１増分時間ステップであり、ｍはＭに達した後で１にリセットされる。
【００１９】
本発明の目的は、さらに請求項９で請求されるようなディスプレイ装置を駆動する回路配列によって解決される。
【００２０】
本発明の目的は、さらに請求項１０で請求されるようなディスプレイ装置を駆動する方法によって解決される。
【００２１】
本発明のより完全な説明のために、また本発明の他の目的および有利点のために、添付の図面と共に行われる次の説明を参照する。
【発明を実施するための最良の形態】
【００２２】
図１は、本発明が応用可能であるディスプレイ装置１の一部の電気回路図を示す。このデバイス１は、行すなわち選択電極７と列すなわちデータ電極６の交差の領域で画定されたピクセル８のマトリックスを備える。Ａｌｔ＆Ｐｌｅｓｈｋｏ駆動モードでは、行電極７は、行ドライバ４によって連続して選択され、一方で、列電極６はデータ・レジスタ５を介してデータを供給される。この目的のために、入力データ２は、必要であれば、プロセッサ３で最初に処理される。行ドライバ４とデータ・レジスタ５の間の相互同期は駆動線９を介して行われる。複数行アドレス指定モード（ＭＲＡ）では、ｐ個の行のグループが同時に選択される。
【００２３】
図２は、行選択時間での行選択電圧Ｖｘ、Ｖｙを示し、この電圧は、使用される直交関数Ｆｉ（ｔ）に依存して行電極７に供給される。その行選択時間中に、５つの異なる列電圧Ｖａ、Ｖｂ、Ｖｃ、Ｖｄ、Ｖｅがそれぞれの列電極６に供給されるかもしれないが、列電圧レベルの数は、同時に駆動される行の数ｐに依存する。図２に示す例では、同時に駆動される行の数ｐは４であり、したがって、５つの異なる電圧レベルが、選択された行のピクセルを駆動するために使用される。さらに、行選択時間は、ｎｐｗｍ＝４の部分選択時間スロットに分割されることが示されている。
【００２４】
図３は、表１のグレイスケール表が使用されるという前提で、ｎｐｗｍ＝４のＰＷＭを有するＡｌｔ＆Ｐｌｅｓｈｋｏ駆動の場合の行選択時間中の可能な列電圧レベルを示す。Ａｌｔ＆Ｐｌｅｓｈｋｏ駆動法は、それぞれ行ごとの行一括駆動技術であり、この技術は、受動マトリックスＬＣＤを駆動する直感的に使える方法である。行選択電圧は、反転の現在状態に依存して−Ｖｓか＋Ｖｓかのどちらかである。対応する列電圧は、それぞれ＋／−Ｖｄおよび−／＋Ｖｄである。
【００２５】
図４ａおよび４ｂを参照すると、図４ａは、ｐ＝４のＭＲＡとｎｐｗｍ＝４のＰＷＭで鏡像化を使用しない場合の２つの引き続く行選択時間スロットｎ、ｎ＋１について可能な列電圧波形を示す。見える列電圧波形に５つの遷移があり、２つは行選択スロット時間ｎに属し、２つは行選択時間スロットｎ＋１に属し、そして１つは完全には示されていない行選択時間スロットｎ＋２に属している。発明の鏡像化を使用することによって、行選択時間スロットｎ＋１の列電圧波形は、行選択時間スロットｎ＋１の真ん中のミラー軸に関して鏡像化される。実際のところ、行スロットｎ＋１の波形を鏡像化することによって、行スロットｎと行スロットｎ＋１の境界の１つの遷移は省くことができるが、他方で、行スロットｎ＋１と行スロットｎ＋２の境界に新しい遷移が導入されるということが起こることがある。鏡像化後、波形は４つの遷移だけを示し、２つは行選択スロットｎに属し、１つは行選択スロットｎ＋１に属し、そして１つは完全には示されていない行選択時間スロットｎ＋２に属している。今、図５ａ、５ｂを参照すると、３つの引き続く行スロットｎ、ｎ＋１、ｎ＋２がある。図５ａは、ｐ＝４のＭＲＡとｎｐｗｎ＝４のＰＷＭで発明の鏡像化を使用しない場合の３つの引き続く行選択時間中の列波形を示す。図示の波形は６つの遷移を示す。図５ｂは、行スロットｎ＋１の波形が鏡像化された後の列電圧波形を表す。これを行うことによって、行スロットｎと行スロットｎ＋１の境界の遷移は省かれるが、行スロットｎ＋１と行スロットｎ＋２の境界に、新しい遷移が生成される。したがって、この場合、遷移は省かれない。しかし、生成された遷移の数は、遷移の省かれた数を決して超えないのが実際のことである。これは、鏡像化が適応的に行われ、例えば全ての第２の行選択時間に固定されるような規則的なパターンに関して行われないことによっている。
【００２６】
次の図６ａ、６ｂで、鏡像化が適応的に行われている。したがって、省かれるよりも多い遷移は決して生成されない。図６ａで、ｐ＝４のＭＲＡとｎｐｗｍ＝４のＰＷＭの場合の４つの引き続く行スロットｎ、ｎ＋１、ｎ＋２、ｎ＋３が示されている。図６ａで、列電圧波形は鏡像化されていない。列電圧波形は８つの遷移を示している。理解されることであるが、行スロットｎ、ｎ＋２およびｎ＋３についてだけ、それぞれのミラー軸に関して鏡像化が行われる。引き続く行スロットｎ、ｎ＋１、ｎ＋２およびｎ＋３の範囲内での鏡像化後に結果として得られた列電圧波形が、図６ｂに表されている。鏡像化後の波形は、たった６つの遷移を示す。したがって、特定の列に供給された全列電圧に沿ってこの適応鏡像化を行うことによって、多数の遷移を省くことができ、結果として電力消費の減少となる。
【００２７】
鏡像化の有効性は、表示されるべき画像に大きく依存している。理想的な画像は、もちろん、列ごとにただ１つのグレイスケールから成る。この場合、最高で５０％の遷移を省くことができる。ｐ＝４のＭＲＡとｎｐｗｍ＝４のＰＷＭの場合、鏡像化のなしと鏡像化のありでのそのような列電圧波形の例が、図７ａ、７ｂに示されている。図７ａ、７ｂに示すその例に関して列電圧波形を鏡像化することによって、４つの図示の行選択時間スロットについて、合計４つの遷移、すなわち１行選択時間当たり１つを省くことができる。これによって、遷移の数を５０％減少させることができる。留意しなれければならないことであるが、行遷移時間の終りの遷移は、もしあれば、常に次の行選択時間に数えられる。
【００２８】
図８ａ、８ｂは鏡像化基準を示し、図８ａは、ｎｐｗｍ＝４であるＡｌｔ＆Ｐｌｅｓｈｋｏ駆動の場合の鏡像化基準に関する。しかし、同じ鏡像化基準が、他のグレイスケール表およびｎｐｗｍの値についても有効である。図８ｂは、ｐ＝４のＭＲＡ駆動でｎｐｗｍ＝４の場合の鏡像化基準に関する。これらの鏡像化基準は、ｐおよびｎｐｗｍの他の値についても有効であることは、留意されなければならない。鏡像化は適応的に行われ、それぞれの行選択時間について鏡像化が行われるか否かを決定する基準は、式（１）で表される。ｎの引き続く行選択時間についてｎ＝１、２、３の場合、
Ｖｃｏｌ（ｔ＝ｎＴｒ−ｄｔ）＝Ｖｃｏｌ（Ｔ＝（ｎ＋１）Ｔｒ−ｄｔ）は真でなければならない。                                                        （１）  
ここで、Ｔｒは行選択時間を表し、ｄｔは１増分時間ステップを表す。このことは、現在行選択時間の終り（ｔ＝ｎＴｒ−ｄｔ）の列電圧Ｖｃｏｌが次の行選択時間の終り（ｔ＝（ｎ＋１）Ｔｒ−ｄｔ）の列電圧Ｖｃｏｌと同じでなければならないことを意味する。
【００２９】
図９は、列電極６に供給される列電圧Ｇｊ（ｔ）を生成する回路のブロック図を示す。ブロック７１は、メモリＲＡＭの一部を示す。このＲＡＭスライス７１は、すなわち、ディスプレイの１列のピクセル・データを格納する。その列のピクセル・データは、グレイスケール制御ブロック７２に供給される。グレイスケール制御ブロック７２では、表示されるべきグレイスケールの符号化を定義するグレイスケール表が格納されている。特定のピクセルに表示されるべきグレイスケールの情報は、ＲＡＭスライス７１から与えられる。それぞれのグレイスケール符号化を用いて、列電圧Ｇｊ（ｔ）が列電圧Ｇｊ（ｔ）発生器内で計算される。表示されるべき画像に依存して、列電圧Ｇｊ（ｔ）は、１行選択時間当たりｎｐｗｍ回計算されなければならない。列電圧Ｇｊ（ｔ）発生器の入力はＧＳ制御ブロック７２からのピクセル状態ａｉｊおよび直交関数Ｆｉであり、この直交関数は、図示されていない外部供給源から与えられる。それぞれの行選択時間について結果として得られた列電圧波形は、ミラー制御ブロック７７およびレジスタ・ブロック７４に与えられ、このレジスタ・ブロック７４は、次の行選択時間の開始とともにＧｊ（ｔ）関数を記録する。ミラー制御ブロック７７で、式（１）の鏡像化基準が、行選択時間ごとに各列電圧波形について検査される。基準が真である場合、復号器７５に与えられた列電圧波形が鏡像化される。基準が真でない場合、次の行選択時間で鏡像化は行われない。復号器７５は、符号化された列電圧レベルを復号し、そして、それぞれの列を駆動する列電圧レベルに対応するイネーブル信号を活動化する。
【００３０】
下記で、列電圧Ｇｊ（ｔ）を計算する式が与えられる。
【数１】
2006527409.tif 000003
【００３１】
しかし、式（２）は、ｐ個の行のある特定のグループが選択されている期間で、かつ行添字ｉが行番号モジュロ４として与えられるという想定の下での、添字ｊの列に対するｐ＝４のＭＲＡの列駆動電圧（Ｇｊ（ｔ）関数）を表す。注：ａｉｊ：行ｉと列ｊとで与えられるピクセルのピクセル状態（オン状態のピクセル：ａｉｊ＝−１ｄｅｃ（ディジタル０で表されるように選ばれる）、オフ状態のピクセル：ａｉｊ＝＋１ｄｅｃ（ディジタル１で表されるように選ばれる））。
【００３２】
Ｆｉ（ｔ）：行ｉに適用される直交関数（直交関数のウォーキング−１セット（ｗａｌｋｉｎｇ  −１  ｓｅｔ）の場合の可能な規格値は：−１ｄｅｃ（ディジタル０で表されるように選ばれる）、＋１ｄｅｃ（ディジタル１で表されるように選ばれる）。
【００３３】
Ｇｊ（ｔ）：ｐ個の行のそれぞれのグループが選択されている期間に列ｊに適用される列関数。
【００３４】
Ｎ：ディスプレイの行の数。
【００３５】
以下で、ｎｐｗｍ＝４のＰＷＭを使用して５つの異なるグレイスケールの符号化を表すグレイスケール表を示す。これは、例えばグレイスケール３でピクセルを表示するために、このピクセルは、第１の３つの行部分スロット中にオン状態に、そして最後の行部分スロットでオフ状態にそれぞれ駆動されなければならないことを意味する。
【表１】
2006527409.tif 000004
【００３６】
下記において、発明のディスプレイ装置のさらに他の実施形態をより詳細に説明する。また、全行選択時間についてだけでなく列電圧波形を鏡像化することが可能である。３以上の引き続く行部分スロットの窓の範囲内で列電圧波形を鏡像化することも可能である。３つの行部分スロットの窓の場合、第３の行部分スロットの電圧レベルが第１の行部分スロットのものと同じであるときはいつでも、第２と第３の行部分スロットは交換され、したがって第２と第３の行部分スロットの間のミラー軸に関して鏡像化される。しかし、このことは、ただその窓の範囲内の第２および第３の行部分スロットが同じ行選択時間に属している限りでだけ、機能する。図１０ａ〜１０ｆは、上述のような窓の範囲内での鏡像化のプロセスを示す。その実施形態では、行選択時間内の行部分スロットの数ｎｐｗｍ＝７である。それに関して、図１０ａは、上部に行選択信号Ｆｉを示す。中間に、図１０ａは鏡像化のない列電圧波形を示す。下部に、図１０ａは、鏡像化が行われた後の列電圧波形を示す。鏡像化前に、完全に示される行選択時間に属する７つの遷移がある。鏡像化後に、完全に示される行選択時間に属するたった４つの遷移がある。
【００３７】
図１０ｂは、第１の鏡像化ステップが行われる前の列電圧波形を示す。窓は、行部分スロット１〜３を含む。それから、鏡像化が行われ、結果として図１０ｃに示す列電圧波形となる。そこで、第２と第３の行部分スロットの電圧レベルは交換されている。それから、第２の鏡像化ステップが行われるが、窓は行部分スロット２〜４を含む。第１の行部分スロットの列電圧レベルは、その窓の範囲内の第３の行部分スロットの列電圧レベルと同じでないので、鏡像化は行われない。図１０ｄに示す第３の鏡像化ステップに進むと、窓は行部分スロット３〜５を含む。第１の行部分スロットの列電圧レベルは、図１０ｄのその窓の範囲内の第３の行部分スロットの列電圧レベルと同じであり、したがって、第２と第３の行部分スロットは交換され、結果として図１０ｅに示す列電圧波形となる。それから、第４の鏡像化ステップが図１０ｅに示され、ここでは窓は行部分スロット４〜６を含む。第１と第３の行部分スロットの列電圧レベルは同じでなく、それで鏡像化は行われない。それから、第５の鏡像化ステップが図１０ｆに示され、ここでは窓は行部分スロット５〜７を含む。第１と第３の行部分スロットの列電圧レベルは同じでなく、それで鏡像化は行われない。図１０ｇにおいて、窓は次の行部分スロット６〜８、それぞれ６〜１に移される。しかし、部分スロット８は現在行選択時間に属さず、それで窓鏡像化は可能でない。これは、そうでなければ後続の行選択時間の第１の行部分スロットは現在行選択時間の最後の行部分スロットと交換されるであろうことのためであり、そして、これは悪いグレイスケールにつながるかもしれない。図１０ｈにおいて、窓は次の行部分スロット７〜９、それぞれ７〜２に移される。第１の行部分スロットの列電圧レベルは、図１０ｈのその窓の範囲内の最後の行部分スロットの列電圧レベルと同じである。この窓の範囲内で交換されるべき行部分スロット、行部分スロット８と９それぞれ１と２は、再び同じ行選択時間に属しており、再び窓鏡像化が可能である。最後に、図１０ｉは、現在行選択時間の第７の鏡像化ステップ後で、かつ後続の行選択時間の第１の鏡像化ステップ前の状態を示す。最後に、結果として得られた電圧波形は、図１０ａで下方に示されるものである。
【００３８】
下記で、４つの行部分スロットを有する窓の例を示す。第１の行部分スロットの列電圧レベルが第４の行部分スロットの列電圧レベルと同一であるとき、鏡像化が行われる。鏡像化は、第２、第３および第４の行部分スロットで与えられる波形を、第３の行部分スロットの真ん中のミラー軸に関して鏡像化することを意味する。鏡像化前の行部分スロットの順序は１２３４であるが、一方で、鏡像化後の行部分スロットの順序は１４３２である。
【００３９】
５つの行部分スロットを有する窓の場合、第１の行部分スロットの列電圧レベルが第５の行部分スロットの列電圧レベルと同一であるとき、窓−鏡像化が行われる。鏡像化は、第２、第３、第４および第５の行部分スロットで与えられる波形を、第３と第４の行部分スロットの間のミラー軸に関して鏡像化することを意味する。それで、鏡像化前の行部分スロットの順序は１２３４５であり、そこで、鏡像化後：１５４３２である。
【００４０】
留意すべきことであるが、両方の場合において、窓が次の行選択時間に向かって境界を横切り、鏡像化されるべき行部分スロットの全てが同じ行選択時間にあるとは限らないとき、鏡像化は可能でない。
【図面の簡単な説明】
【００４１】
【図１】本発明に従ったディスプレイ装置の一部を示す電気等価回路図である。
【図２】ｐ＝４およびｎｐｗｍ＝４のＰＷＭの場合の１行選択時間中の可能な列電圧レベルを示す図である。
【図３】表１のグレイスケールを使用して、Ａｌｔ＆Ｐｌｅｓｈｋｏ駆動をｎｐｗｍ＝４であるＰＷＭと組み合わせたときの代わりの可能な列波形を示す図である。
【図４ａ】ｐ＝４のＭＲＡとｎｐｗｍ＝４のＰＷＭの場合の２行スロットについての列電圧波形の鏡像化を示す図である。
【図４ｂ】ｐ＝４のＭＲＡとｎｐｗｍ＝４のＰＷＭの場合の２行スロットについての列電圧波形の鏡像化を示す図である。
【図５ａ】ｐ＝４のＭＲＡとｎｐｗｍ＝４のＰＷＭの場合の３行スロットにわたる列電圧波形の鏡像化を示す図である。
【図５ｂ】ｐ＝４のＭＲＡとｎｐｗｍ＝４のＰＷＭの場合の３行スロットにわたる列電圧波形の鏡像化を示す図である。
【図６ａ】ｐ＝４のＭＲＡとｎｐｗｍ＝４のＰＷＭの場合の４行スロットにつての列電圧波形の鏡像化を示す図である。
【図６ｂ】ｐ＝４のＭＲＡとｎｐｗｍ＝４のＰＷＭの場合の４行スロットにつての列電圧波形の鏡像化を示す図である。
【図７ａ】４行スロットについてｐ＝４のＭＲＡとｎｐｗｍ＝４のＰＷＭの場合の列電圧波形の鏡像化を示す図であり、これにより遷移の数を５０％減少する。
【図７ｂ】４行スロットについてｐ＝４のＭＲＡとｎｐｗｍ＝４のＰＷＭの場合の列電圧波形の鏡像化を示す図であり、これにより遷移の数を５０％減少する。
【図８ａ】表１のグレイスケール表が使用されるとき、１つの行選択時間が４部分選択時間スロット（ｎｐｗｍ＝４であるＰＷＭ）に細分されているＡｌｔ＆Ｐｌｅｓｈｋｏの場合の鏡像化基準を示す。
【図８ｂ】１つの行選択時間スロットが４部分選択時間スロット（ｎｐｗｍ＝４であるＰＷＭ）に細分されているｐ＝４のＭＲＡの場合の鏡像化基準を示す。
【図９】列電圧レベル生成を示すブロック図である。
【図１０ａ】ｐ＝４のＭＲＡとｎｐｗｍ＝７のＰＷＭの場合の引き続く行部分スロット期間の窓の範囲内での鏡像化を示す図である。
【図１０ｂ】ｐ＝４のＭＲＡとｎｐｗｍ＝７のＰＷＭの場合の引き続く行部分スロット期間の窓の範囲内での鏡像化を示す図である。
【図１０ｃ】ｐ＝４のＭＲＡとｎｐｗｍ＝７のＰＷＭの場合の引き続く行部分スロット期間の窓の範囲内での鏡像化を示す図である。
【図１０ｄ】ｐ＝４のＭＲＡとｎｐｗｍ＝７のＰＷＭの場合の引き続く行部分スロット期間の窓の範囲内での鏡像化を示す図である。
【図１０ｅ】ｐ＝４のＭＲＡとｎｐｗｍ＝７のＰＷＭの場合の引き続く行部分スロット期間の窓の範囲内での鏡像化を示す図である。
【図１０ｆ】ｐ＝４のＭＲＡとｎｐｗｍ＝７のＰＷＭの場合の引き続く行部分スロット期間の窓の範囲内での鏡像化を示す図である。
【図１０ｇ】ｐ＝４のＭＲＡとｎｐｗｍ＝７のＰＷＭの場合の引き続く行部分スロット期間の窓の範囲内での鏡像化を示す図である。
【図１０ｈ】ｐ＝４のＭＲＡとｎｐｗｍ＝７のＰＷＭの場合の引き続く行部分スロット期間の窓の範囲内での鏡像化を示す図である。
【図１０ｉ】ｐ＝４のＭＲＡとｎｐｗｍ＝７のＰＷＭの場合の引き続く行部分スロット期間の窓の範囲内での鏡像化を示す図である。
【図１】
2006527409.tif 000005
【図２】
2006527409.tif 000006
【図３】
2006527409.tif 000007
【図４ａ】
2006527409.tif 000008
【図４ｂ】
2006527409.tif 000009
【図５ａ】
2006527409.tif 000010
【図５ｂ】
2006527409.tif 000011
【図６ａ】
2006527409.tif 000012
【図６ｂ】
2006527409.tif 000013
【図７ａ】
2006527409.tif 000014
【図７ｂ】
2006527409.tif 000015
【図８ａ】
2006527409.tif 000016
【図８ｂ】
2006527409.tif 000017
【図９】
2006527409.tif 000018
【図１０ａ】
2006527409.tif 000019
【図１０ｂ】
2006527409.tif 000020
【図１０ｃ】
2006527409.tif 000021
【図１０ｄ】
2006527409.tif 000022
【図１０ｅ】
2006527409.tif 000023
【図１０ｆ】
2006527409.tif 000024
【図１０ｇ】
2006527409.tif 000025
【図１０ｈ】
2006527409.tif 000026
【図１０ｉ】
2006527409.tif 000027
【国際調査報告】
2006527409.tif 000028
2006527409.tif 000029